(57)【要約】【課題】コンピュータ用マウスの操作時、手の平に生じる汗による不快感を除去すると共に、汗によるマウスの誤操作を防ぎ、マウスの衛生状態を改善する。【解決手段】マウスの上面に空気噴出口を設け、マウス内部に取付けた送風ファンにより空気噴出口から空気を噴出させ、手の平を乾燥状態を保つようにする。【選択図】              図１
2004220372.tif 000002
【特許請求の範囲】
【請求項１】
マウス上面のマウス使用者の手の平と対接する面に、
マウス内部の空間に貫通する空気噴出口を設けると共に、
マウス内部空間に送風ファンを取付け、
送風ファンの回転によって生じた空気流を前記空気噴出口から噴出するようにし、
マウス使用者の手の平の汗を放散するようにしたマウス。
【請求項２】
請求項１のマウスにおいて、マウス上面又は側面のマウス使用者の手の平と対接する面の一部にスイッチを取付け、
マウス使用者の手の平がマウスを握るとスイッチがオンになるようにしたマウス。
【請求項３】
請求項１のマウスにおいて、マウス上面又は側面のマウス使用者の手の平と対接する面の一部に湿度センサを取付け、
マウス使用者の手の平の湿度が一定数値を超えた場合、送風ファンの電源が入るようにしたマウス。
【請求項４】
マウス上面のマウス使用者の手の平と対接する面に、
マウス内部の空間に貫通する空気噴出口を設けると共に、
マウス内部空間に送風ファンを取付け、
前記空気噴出口の上には空気噴出口を覆うように滑動可能な蓋状のパネルを取付け、
前記パネルを使用者の手元側に滑らせた時、前記空気噴出口がマウス上面に露出するようにし、
同時に、送風ファンの電源が入るようにしたマウス。
【発明の詳細な説明】
【０００１】
【発明の属する技術分野】
本発明はコンピュータ用マウスに関するもので、特に使用者の手の平の汗を放散させる機能を有するものに関する。
【０００２】
【従来の技術】
コンピュータ用マウスの内部にファンを取付けるとともに、下面に吸気口及び側面に排気口を設けて、マウスボール周辺やマウスパッドの掃除を行わせるようにしたマウスは既に知られている（特許公開公報２００１−１１７７１６号参照）。
この装置において、吸排気の目的はあくまでも清掃に限られたものである。
【０００３】
【発明が解決しようとする課題】
コンピュータを操作する者が、マウスを掌中に握って長時間の作業をする場合、使用者によっては多量の汗がマウス表面と手の平の間にたまることがある。
マウスは一般にプラスチック成型物によって作られているので、吸湿性に乏しく、一方使用者は操作に集中するほどマウスを強く握る傾向があるので、手の平の汗を中々放散できず、作業中に不快感を感じることになる。
また汗によりマウスが滑り、誤操作の原因になる。
更に多人数が共同で使用するマウスの場合は衛生上の問題も生じる。
本発明は、体質的にいわゆる汗かきの人が長時間マウスを使用しても、汗が付着しないようなマウスを提供しようとするものである。
【０００４】
【課題を解決するための手段】
本発明はマウス上面の手の平が接する部分に空気噴出口を設け、マウス内部に取付けた送風ファンにより手の平に向けて空気流を作ることにより、手の平の汗を放散させ、乾燥状態に保つようにしたものである。
【０００５】
【実施例】
以下図面に基づき本発明の実施例を説明する。
図１は本発明のマウスを上面からみた図で、１はマウス本体、２，２´はクリックボタン、３は信号線である。
これらの部分は従来の一般的マウスと同一であるが、本発明のマウスにおいてはマウス上面の手の平が覆う部分に、１個又は複数個の空気噴出口４がマウス本体１の内部空間に貫通するように設けられている。
５は送風ファンＯＮ−ＯＦＦ用のスイッチである。
５´はスイッチ５の取付位置の他の例を示す。
【０００６】
図２は図１のマウスのＡ−Ａ´線の断面図である。本発明の説明に必要ない部分は省略して図示しており、図１と同一部分には同一符号を用いている。
図２において、６はマウスボールである。７は信号処理回路でマウスボール６及びマウスローラ（図示せず）が検知した座標移動や、クリックボタン２，２´のクリック動作を信号処理し、信号線３を通してコンピュータに伝送する。
図示の例では複数個の穴が設けられているが、この部分は網状又は格子状であってもよい。
【０００７】
マウス本体１は、手の平で包むように覆われることが大きさの基準となっているので、その内部には、マウスボール６、信号処理回路７の占める体積を除外しても十分な余剰空間が存在する。
近年、マウスボールを使用するマウスに代わって、光学式のマウスが普及しつつあるが、その場合は、この余剰空間はますます拡大する傾向にある。
本発明においては、この余剰空間を利用して空気噴出口４の下部に小型送風ファン８を取付け、空気噴出口４から、マウス上面に向かって空気を噴出させるようにしたマウスを提供するものである。
【０００８】
送風ファン８としては、例えば日本電産コパル電子株式会社が販売している小型ＤＣファンモータＦ２５１Ｒなどが利用できる。
このファンモータは、縦横各２５ｍｍ，厚さ１０ｍｍ程度の立方体形状なのでマウス本体内の空間に十分収納が可能である。
【０００９】
９は送風ファン８の電源電池であるが、コンピュータ本体から、信号線３を介して、信号処理回路７に饋電されている電力が利用可能な場合は、電池９は省略できる。
【００１０】
スイッチ５は通常のＯＮ−ＯＦＦスイッチでもよいが、使用者がマウスを握ったとき、手の平の圧力で自動的にＯＮし、マウスから手を離すと自動的にＯＦＦとなるようなスイッチを用いると、付け忘れ、消し忘れの心配がなく、汗かきの人の専用のマウスとして好適である。
【００１１】
更にスイッチ５を湿度センサ付のものとし、一定の湿度を検知したときのみ電源が入るようにすることにより、使用者が汗をかいたときにのみ送風ファン８が動作するようにすることもできる。
【００１２】
スイッチ５は、人の手がマウスを握ったとき、自然に触れるような位置であれば、他の位置に取付けても差し支えない。
例えば、図１の５´で示した位置であれば、親指の腹が丁度触れるので、この位置も代替位置として望ましい。
【００１３】
マウス本体１は本来機密的に作られている訳ではないので、空気流入口を特に設ける必要はない。
送風ファンが作動すると、マウスボール６の周辺或いはクリックボタン２，２´周辺の空隙から外部空気がマウス本体に流入し、空気噴出口４から噴出する空気量を供給できる。
しかし、送風ファンの効率を上げるためには、マウスの一部、特に下面の送風ファン８の下側に空気取入口１０を設けることが望ましい。
また空気取入口１０を設けた場合は、この位置に送風ファンを取付けてもよい。
【００１４】
本発明の他の実施例を、図３，図４を用いて説明する。
図３，図４において、図１，図２と共通の部分には図１，図２と同一の符号を用いている。
図４は図３のＢ−Ｂ´線の断面図である。
【００１５】
図３に示すマウスにおいては、マウス本体１の手の平に包まれる部分を蓋状の表面パネル３１で覆い、マウス本体１に設けられた溝等に沿って、マウス使用者の手元方向に向かって数ミリメートル程度滑動可能なように構成する。（図は滑動させた状態を示す。）
マウス本体には横一列の空気噴出口３２が設けられており、通常時は表面パネル３１によって覆われているが、表面パネルが滑動すると表面に表れるようになっている。
【００１６】
図４において、ＯＮ−ＯＦＦスイッチ３３は表面パネル３１の滑動に伴なって、表面パネル下面に設けられた突起或いは導電体等３４によってＯＮ状態となる。
すると、送風ファン８が起動し、空気取入口１０から外部空気を吸引しマウス本体１の内部空間の空気圧を高め、空気噴出口４から空気が噴出するようになる。
【００１７】
噴出した空気は丁度指の付け根付近に集中するので、指間の汗を放散しやすくなる。
また、一部は手の平全体に循環するので結果的には手の平全体を乾燥状態に維持することが可能となる。
【００１８】
また、表面パネル３１を閉じた状態では、空気噴出口３２が表面に表れず、通常のマウスの外観を呈するので、一般の使用者には全く奇異感が生じない。
一方、多汗者は表面パネル３１を手元方向に滑動することによって、空気噴出口３２が露出し空気の噴出が開始するので多数の人間が共用するコンピュータのマウスとして好適である。
【００１９】
図４の例では送風ファン８を給気孔１０に近づけて取り付けてあるが、図１及び図２の実施例のように空気噴出口４側に取り付けることも可能である。
【００２０】
【発明の効果】
以上のように、本発明のマウスは多汗者の手の平を乾燥状態に保つので、使用者の快適性を増すと共に、汗による手の滑りを防止する外、マウスの衛生状態を改善する効果がある。
【図面の簡単な説明】
【図１】本発明のマウスの平面図
【図２】本発明のマウスのＡ−Ａ´線断面図
【図３】本発明のマウスの他の実施例の平面図
【図４】本発明のマウスの他の実施例のＢ−Ｂ´線断面図
【符号の説明】
１・・・・・・・マウス本体
２，２´・・・・クリックボタン
３・・・・・・・信号線
４・・・・・・・空気噴出口
５・・・・・・・スイッチ
５´・・・・・・スイッチ取付位置の他の例
６・・・・・・・マウスボール
７・・・・・・・信号処理回路
８・・・・・・・送風ファン
９・・・・・・・電源電池
１０・・・・・・・空気取入口
３１・・・・・・・表面パネル
３２・・・・・・・空気噴出口
３３・・・・・・・スイッチ
３４・・・・・・・突起或いは導電体等
【図１】
2004220372.tif 000003
【図２】
2004220372.tif 000004
【図３】
2004220372.tif 000005
【図４】
2004220372.tif 000006